(57)【要約】【課題】  長軸部を回転力の入力部にして六角棒レンチを利用する際に、長軸部に対する回転操作性を良くする。【解決手段】  断面を六角形にしてＬ字状に形成される六角棒レンチＡの短軸部Ａ１あるいは長軸部Ａ２に装着される六角棒レンチ操作補助具において、短軸部Ａ１あるいは長軸部Ａ２に着脱自在に装着される補助具本体１を有し、補助具本体１に回転可能に操作部２を設けてなる。【選択図】  図１
2013158854.tif 000002
【特許請求の範囲】
【請求項１】
断面を六角形にしてＬ字状に形成される六角棒レンチの短軸部あるいは長軸部に装着される六角棒レンチ操作補助具において、
上記短軸部あるいは上記長軸部に着脱自在に装着される補助具本体を有し、
この補助具本体に回転可能に操作部を設けてなることを特徴とする六角棒レンチ操作補助具。
【請求項２】
上記補助具本体は、この補助具本体を上記短軸部あるいは上記長軸部に固定する固定手段を備えてなる請求項１に記載の六角棒レンチ操作補助具。
【発明の詳細な説明】
【技術分野】
【０００１】
この発明は、六角穴付ボルトや六角穴付ネジを回す六角棒レンチにおける回転操作性を向上させる六角棒レンチ操作補助具に関する。
【背景技術】
【０００２】
六角穴付ボルトや六角穴付ネジを回す六角棒レンチ（または、六角棒スパナ）は、たとえば、特許文献１に開示されているように、断面を六角形にする鋼材などからなる棒材をＬ字状に折り曲げて、短軸部および長軸部を有するように形成されてなる。
【０００３】
一方、六角穴付ボルトにあって、頭部に開穿される六角穴は、六角棒レンチの短軸部および長軸部の抜き挿しを容易にするように、短軸部および長軸部、つまり、六角棒レンチの断面よりやや大きく形成されている。
【０００４】
それゆえ、六角棒レンチの長軸部を六角穴付ボルトの六角穴に挿し込んで短軸部を外力たる回転力の入力部にして回転するのと同様に、短軸部を六角穴に挿し込んで長軸部を入力部にして回転し、たとえば、六角穴付ボルトの締め付けを実践し得ることになる。
【先行技術文献】
【特許文献】
【０００５】
【特許文献１】特開２０００−２３７９６６号公報
【発明の概要】
【発明が解決しようとする課題】
【０００６】
しかしながら、六角棒レンチを利用して、たとえば、六角穴付ボルトの締め付けを実践するときに、締め付け作業に時間が掛かる不具合がある。すなわち、六角穴付ボルトの六角穴に短軸部を挿し込んで長軸部を入力部として回すとき、長軸部に添えられる指などは、回転中心となる短軸部から外れた位置に添えられるから、また、六角穴と短軸部との間にいわゆるガタもあることから、六角棒レンチを安定させ難く、たとえば、回転操作中に短軸部が六角穴から抜け出て、六角棒レンチを落すことが危惧される。
【０００７】
そして、六角棒レンチは、棒材をＬ字状に折り曲げただけの形状になるから、たとえば、短軸部を回転中心にして長軸部を３６０度回す場合には、長軸部に添える指を変えたり、手の向きを変えたりしなければならず、長軸部を回す作業を面倒にする。
【０００８】
その結果、六角棒レンチの長軸部を回転力の入力部にして六角穴付ボルトを回す際には、短軸部が六角穴から抜け出ないように操作しつつ、長軸部に添える指を変えたり、手の向きを変えたりしなければならなくなり、六角穴付ボルトの締め付け作業に時間が掛かることになる。
【０００９】
この発明は、このような現状を鑑みて創案されたものであって、六角棒レンチの長軸部を回転力の入力部にして利用する場合に長軸部に対する回転操作性を良くして締め付け作業に要する時間の短縮を可能にする六角棒レンチ操作補助具を提供することを目的とする。
【課題を解決するための手段】
【００１０】
上記した目的を達成するために、この発明による六角棒レンチ操作補助具の構成を、断面を六角形にしてＬ字状に形成される六角棒レンチの短軸部あるいは長軸部に装着される六角棒レンチ操作補助具において、上記短軸部あるいは上記長軸部に着脱自在に装着される補助具本体を有し、この補助具本体に回転可能に操作部を設けてなるとする。
【００１１】
補助具本体が短軸部を中心にして長軸部を回転させる回転力の入力を許容する操作部を有するから、操作部を利用することで、補助具本体に操作部を有しない場合に比較して、長軸部の回転を容易になし得ることになる。
【００１２】
そして、操作部は、長軸部の回転方向と反対の方向への回転を可能にするから、長軸部が短軸部を中心にして回転して、補助具本体が角度を変えながら円周方向に移動するときに、補助具本体に対して操作部を回転でき、操作部を持ち替えることなく補助具本体、つまり、長軸部の回転を継続できる。
【００１３】
ちなみに、操作部が所定の機械的強度を有するように形成される場合には、操作部から長軸部に持ち替えなくても短軸部を中心にする六角棒レンチの回転を実現でき、たとえば、六角孔付ボルトの締め付けを実践できる。
【発明の効果】
【００１４】
その結果、この発明によれば、長軸部を回転力の入力部にして六角棒レンチを利用する際に、長軸部に対する回転操作性を良くして締め付け作業に要する時間の短縮を可能にする。
【図面の簡単な説明】
【００１５】
【図１】この発明による六角棒レンチ操作補助具を装着した六角棒レンチの使用状態を示す斜視図である。
【図２】図１の六角棒レンチ操作補助具を六角棒レンチと共に示す部分断面正面図である。
【図３】他の実施形態の六角棒レンチ操作補助具を六角棒レンチに装着した状態を示す部分断面正面図である。
【図４】さらに他の実施形態の六角棒レンチ操作補助具を示す側面図である。
【発明を実施するための形態】
【００１６】
以下に、図示した実施形態に基づいて、この発明を説明する。この発明による六角棒レンチ操作補助具は、図１および図２に示すように、補助具本体１を有してなり、補助具本体１は、操作部２を有してなる。
【００１７】
補助具本体１は、六角棒レンチＡの長軸部Ａ２に着脱自在に装着され、六角棒レンチＡは、断面を六角形にする鋼材からなる棒材を短軸部Ａ１（図１参照）および長軸部Ａ２を有するようにＬ字状に折り曲げて形成されてなる。ちなみに、補助具本体１は、六角棒レンチＡの短軸部Ａ１に装着されても良い。
【００１８】
また、図１に示すように、六角棒レンチＡで回される六角穴付ボルトＢは、頭部Ｂ１に開穿の六角穴Ｂ２への六角棒レンチＡの短軸部Ａ１の挿し込みを許容しており、図示しないが、六角穴Ｂ２は、六角棒レンチＡの長軸部Ａ２の挿し込みも許容する。そして、六角穴Ｂ２は、口径を六角棒レンチＡの断面、つまり、短軸部Ａ１および長軸部Ａ２の断面よりやや大きくなるとして、六角棒レンチＡの抜き挿しを容易にしている。
【００１９】
ところで、この発明にあっては、補助具本体１は、六角棒レンチＡの長軸部Ａ２を着脱自在に連結させる連結部３を有するとしており、以下には、連結部３について説明する。
【００２０】
連結部３は、図２に示すところでは、補助具本体１の軸芯部に形成されて六角棒レンチＡの長軸部Ａ２を挿通させる穴３１からなり、この穴３１は、六角棒レンチＡの長軸部Ａ２をいわゆる無理なく挿通させる口径、つまり、補助具本体１が装着された六角棒レンチＡで回すことになる六角穴付ボルトＢの六角穴Ｂ２の口径と同じ口径に形成されてなる。ちなみに、図２中に斜線で示す六角形は、図２に示す状態での六角棒レンチＡの断面を示す。
【００２１】
連結部３たる穴３１が口径を六角穴付ボルトＢの六角穴Ｂ２の口径と同じするから、補助具本体１に対する六角棒レンチＡの長軸部Ａ２の着脱が自在とされることになる。そして、補助具本体１に形成される穴３１の径が六角棒レンチＡの径と同じ径とされることから、補助具本体１は、六角棒レンチＡ毎に、つまり、回そうとしている六角付ボルトＢの六角穴Ｂ２の口径と同じ径の六角棒レンチＡ毎に形成されることになる。
【００２２】
戻って、連結部３たる穴３１は、図２に示すところでは、いわゆる行き止まりに形成されてなるが、六角棒レンチＡの長軸部Ａ２を挿通させて連結させる観点からすれば、図２中に一点鎖線図で示すように、六角棒レンチＡの長軸部Ａ２を貫通する孔３２からなるとしても良い。
【００２３】
連結部３がいわゆる行き止まりの穴３１からなる場合には、六角棒レンチＡの長軸部Ａ２に装着された補助具本体１が長軸部Ａ２に副って短軸部Ａ１側に移動する不具合の発生を回避でき、連結部３が貫通する孔３２からなる場合には、補助具本体１を六角棒レンチＡの長軸部Ａ２に装着する際にいわゆる方向性を問われなくなる点で有利となる。
【００２４】
ちなみに、連結部３を貫通する孔３２で形成する場合に、図示しないが、孔３２の中央部から口径が変わるとして、径の異なる六角棒レンチＡの長軸部Ａ２への補助具本体１の装着を可能にするとしても良い。
【００２５】
六角棒レンチＡの長軸部Ａ２に着脱自在に装着されることからすると、特に、外形が特定される必要は無く、所定の機械的強度を有する限りには、任意の材質で任意の形状に形成されて良い。
【００２６】
そして、図示するところでは、補助具本体１は、硬質材からなるとし、軸線方向が六角棒レンチＡの長軸部Ａ２の軸線方向と同じになる角柱状体からなるとするが、これに代えて、図示しないが、円柱状体やその他の任意の断面形状を有する柱状体からなるとしても良い。
【００２７】
操作部２は、六角棒レンチＡの長軸部Ａ２への回転力の入力を容易にするために設けられ、補助具本体１に対して、つまり、六角棒レンチＡの長軸部Ａ２に対して、図１中に矢印ｃで示すように、左右方向への回転を自在にする。
【００２８】
そして、操作部２は、図２に示すところでは、図２中での上端面に任意の構造で突設された軸２１と、軸２１に回動自在に設けた摘み２２とで構成され、この摘み２２を摘んで外力たる回転力を六角棒レンチＡの長軸部Ａ２に入力することで、図１中に矢印ａおよびｂで示すように、短軸部Ａ１を回転中心にして六角棒レンチＡを回すことが可能になる。
【００２９】
そして、摘み２２は、補助具本体１に対して回転を自在にするから、長軸部Ａ２が短軸部Ａ１を回転中心にして回ることで、補助具本体１が角度を変えながら円周方向に移動するときに、自らが回転しながら補助具本体１に、つまり、長軸部Ａ２に回転力を入力することが可能になる。
【００３０】
摘み２２が補助具本体１に対して回転するから、たとえば、長軸部Ａ２を３６０度回転させる場合にも、手の向きを変えなくても良いのはもちろんのこと、摘み２２を持つ指を他の指に替える必要も無く、長軸部Ａ２を回す動作を最初から同じ指で実践でき、六角棒レンチＡを迅速に回すことが可能になる。
【００３１】
ちなみに、操作部２が所定の機械的強度を有するように形成されてなる場合には、操作部２から六角棒レンチＡの長軸部Ａ２に持ち替えることなく、たとえば、六角孔付ボルトＢの締め付けを実践できる。
【００３２】
ところで、上記したところでは、補助具本体１は、六角棒レンチＡの長軸部Ａ２に装着されたとき、装着場所に定着されない。したがって、最も好ましくないのは、補助具本体１を介して長軸部Ａ２に回転力を入力しようとするときに、補助具本体１が長軸部Ａ２から外れることである。
【００３３】
このとからすると、補助具本体１を介して長軸部Ａ２に回転力を入力する際には、補助具本体１が長軸部Ａ２に副って移動しないようにすることが好ましいことになる。
【００３４】
そこで、図３に示すところでは、補助具本体１における図３中で下端面となる底面から先端が六角棒レンチＡの長軸部Ａ２に当接する固定手段たるボルト４が捩じ込まれて、補助具本体１の長軸部Ａ２に対する移動が阻止され、つまり、補助具本体１が長軸部Ａ２に固定されるとしている。
【００３５】
ちなみに、補助具本体１の底部に固定手段たるボルト４が捩じ込まれることで、このボルト４の頭部が下方の六角孔付きボルトＢが捩じ込まれる面に接触するような状況になることが危惧される場合には、固定手段たるボルト４が補助具本体１の側部に捩じ込まれるとしても良い。また、固定手段とされるものについては、ボルト４の他に、簡単な操作で着脱できる構造に形成されているものが選択されて良い。
【００３６】
一方、前記したところでは、補助具本体１は、六角棒レンチＡの径が区々になるのに応じてそれぞれ形成されるとしたが、図４に示すところにあっては、一つの補助具本体１が径の異なる複数の六角棒レンチＡの長軸部Ａ２に着脱可能に装着されるようにしたものである。
【００３７】
少し説明すると、補助具本体１は、操作部２を有する一方で、連結部３たる孔３３を軸芯部に有し、さらには、固定手段たるボルト５を有してなり、孔３３は、六角棒レンチＡの長軸部Ａ２の挿通を許容する。そして、孔３３は、補助具本体１を貫通する態様で断面形状を変則六角形にする、つまり、図示するところでは、上半側を台形にし、下半側を矩形にするとしている。上半側の形状については、三角形でも良く、また、下半側の形状については、六角棒レンチＡの挿通を許容する限りには、任意の形状とされて良い。
【００３８】
孔３３を形成する上半側の台形は、いわゆる左右の傾斜線３３ａ，３３ａが上方で収斂するとき相互間の角度を６０度にするように形成されて、六角棒レンチＡの外面がいわゆる嵌合する状態に当接することを許容している。
【００３９】
このことから、孔３３に挿通される六角棒レンチＡは、固定手段たるボルト５を利用して孔３３内で上半側に押し込まれることで、補助具本体１に定着、つまり、補助具本体１が六角棒レンチＡの長軸部Ａ２に定着されることになる。
【００４０】
孔３３にあって、下半側の矩形部分には、補助具本体１の底部（符示せず）に捩じ込まれるボルト５の先端部(符示せず)を臨ませるとしており、また、孔３３に挿通される六角棒レンチＡがいわゆる大径とされる場合の挿通を許容する。なお、ボルト５は、図３に示すボルト４に比較して、いわゆる径の細い六角棒レンチＡの定着も実現し得るように、ネジ軸（符示せず）の長さが大きくなるとしている。
【００４１】
それゆえ、図４に示す補助具本体１にあっては、孔３３に六角棒レンチＡが挿通されると共に、ボルト５が捩じ込まれることで、ボルト５の先端が六角棒レンチＡの長軸部Ａ２に当接されて六角棒レンチＡが孔３３内に押し込まれる状態になり、六角棒レンチＡの孔３３での固定的な定着が実現され、補助具本体１に対する移動が阻止されることになる。
【００４２】
なお、図４に示す実施形態にあっては、前記した図３に示す実施形態に比較して、固定手段たるボルト５の頭部がいわゆる他部に接触する可能性が一層高くなることが懸念される。
【００４３】
そこで、図４に示す実施形態に代えて、図示しないが、図４中でいわゆる縦向きに形成される孔３３をいわゆる横向きに形成すると共にも、固定手段たるボルト５を補助具本体１のいわゆる横方向から捩じ込むようにする構成とされるのが好ましいと言える。
【００４４】
以上のように、この発明にあっては、操作部２が補助具本体１に対して回転し得るので、六角棒レンチＡの長軸部Ａ２の回転で補助具本体１が角度を変えながら円周方向に移動するときに、操作部２が補助具本体１に対して回転でき、操作部２を持ち替えることなく補助具本体１、つまり、六角棒レンチＡの長軸部Ａ２の回転を継続できることになる。
【００４５】
そしてまた、この発明にあって、操作部２が所定の機械的強度を有するように形成される場合には、操作部２から六角棒レンチＡの長軸部Ａ２に持ち替えることなく、操作部２を介して、たとえば、六角孔付ボルトＢの締め付けを実践できる。
【００４６】
このことから、この発明によれば、六角棒レンチＡを利用する際に、長軸部Ａ２を外力の入力部にして回転する場合の回転操作性を良くして、たとえば、六角孔付ボルトＢの締め付け作業に要する時間の短縮を可能にし得ることになる。
【００４７】
そして、この発明にあっては、六角棒レンチＡの長軸部Ａ２を補助具本体１の連結部３に挿通させることで、補助具本体１を六角棒レンチＡの長軸部Ａ２に着脱自在に装着することが可能になる。
【００４８】
前記したところでは、六角棒レンチ操作補助具にあって、操作部２が摘み２２を有してなるとしたが、要は、操作部２が補助具本体１を介して長軸部Ａ２に回転力を入力できれば良く、この点からすれば、図示しないが、摘み２２がグリップを備えるハンドルに代えられるとしても良い。
【００４９】
そして、前記したところでは、補助具本体１に形成される連結部３が一方向に形成される行き止まりの穴３１あるいは貫通する孔３２，２３を有してなるとしたが、この発明が意図するところからすると、連結部３たる穴３１あるいは孔３２，２３が二方向、たとえば、十字状に形成されてなるとしても良く、この場合には、各穴３１あるいは孔３２，２３の径を異ならしめて、一つの補助具本体１で複数本の六角棒レンチＡに装着できるようにすることが可能になる。
【符号の説明】
【００５０】
１  補助具本体
２  操作部
３  連結部
４，５  固定手段たる固定ネジ
２１  軸
２２  摘み
３１  穴
３２  孔
Ａ  六角棒レンチ
Ａ１  短軸部
Ａ２  長軸部
Ｂ  六角穴付ボルト
Ｂ１  頭部
Ｂ２  六角穴
【図１】
2013158854.tif 000003
【図２】
2013158854.tif 000004
【図３】
2013158854.tif 000005
【図４】
2013158854.tif 000006